(57)【要約】【課題】生体情報の測定動作を習慣づけるような動機付けを可能ならしめる。【解決手段】生体情報を処理する装置は、被測定者から測定された生体情報を格納する格納部と、外部機器と通信する通信部と、生体情報を処理する処理部と、を備え、処理部は、格納部の情報のうち予め定められた期間において測定された生体情報から、外部機器を動かすための動力の情報を取得し（Ｓ１１）、取得された動力の情報を外部機器に送信する（Ｓ１３）。【選択図】図９
2018000321.tif 000002
【特許請求の範囲】
【請求項１】
被測定者から測定された生体情報を格納する格納部と、
外部機器と通信する通信部と、
前記生体情報を処理する処理部と、を備え、
前記処理部は、
前記格納部の情報のうち予め定められた期間において測定された生体情報から、前記外部機器を動かすための動力の情報を取得し、取得された前記動力の情報を前記外部機器に送信するように構成される、生体情報を処理する装置。
【請求項２】
装置であって、
前記装置を動かすための駆動部と、
外部機器と通信する通信部と、
被測定者から測定された生体情報を処理する処理部と、をさらに備え、
前記外部機器は、前記測定された生体情報を格納する格納部を有し、
前記処理部は、
前記外部機器から、前記格納部の情報のうち予め定められた期間において測定された生体情報を受信し、受信された生体情報から、前記駆動部のための動力の情報を取得するように構成される、生体情報を処理する装置。
【請求項３】
前記生体情報は、被測定者の身体の活動量を含む、請求項１または２に記載の生体情報を処理する装置。
【請求項４】
前記活動量は、被測定者から測定された歩数を含む、請求項３に記載の生体情報を処理する装置。
【請求項５】
前記活動量は、被測定者の身体の消費カロリーを含む、請求項３または４に記載の生体情報を処理する装置。
【請求項６】
前記生体情報は、被測定者の身体の不活動量を含む、請求項１から５のいずれか１項に記載の生体情報を処理する装置。
【請求項７】
メモリを備えるコンピュータが、生体情報を処理する方法であって、
前記メモリには、被測定者から測定された生体情報が格納され、
前記方法は、
前記メモリの情報のうち予め定められた期間において測定された生体情報から、機器を動かすための動力の情報を取得することと、
取得された前記動力の情報を前記機器に出力することとを含む、生体情報の処理方法。
【請求項８】
請求項７に記載の生体情報の処理方法をコンピュータに実行させるためのプログラム。
【発明の詳細な説明】
【技術分野】
【０００１】
本発明は被測定者の生体情報を処理する装置および方法に関し、特に、生体情報から動力の情報を取得する装置、方法およびプログラムに関する。
【背景技術】
【０００２】
従来、被験者から測定された生体情報に基づいてモノの動きを異ならせる発明が提案されている。例えば、特許文献１（特開２００３−１５３８７０号公報）は、人が意識的に発生する生体信号（前頭部で検出される電気信号）を用いて操作するラジコンカーを開示する。
【０００３】
また、特許文献２（特開２００４−１５７９４１号公報）は、各種生体情報を取得する犬型ロボットを介して採取された患者の体温データなどに基づいて、患者の身体状態または精神状態が判断され、その判断された状態に応じて、当該犬型ロボットの挙動を異ならせるプログラムを与える構成を開示する。
【０００４】
また、特許文献３（特開昭６３−１９２４２３号公報）は、プレヤーの皮膚電気抵抗を測定することで判断されたプレヤーの情動変化に応じて、猫型おもちゃの両手をバタバタ動かす度合いを変化させることを開示する。
【０００５】
また、特許文献４（特開２０１３−０２２３０３号公報）は、呼吸リズムを安定化する目的で、抱く人の呼吸数に応じて、人との接触側の膨張回数を変化させる呼吸抱き可能なぬいぐるみを開示する。
【先行技術文献】
【特許文献】
【０００６】
【特許文献１】特開２００３−１５３８７０号公報
【特許文献２】特開２００４−１５７９４１号公報
【特許文献３】特開昭６３−１９２４２３号公報
【特許文献４】特開２０１３−０２２３０２号公報
【発明の概要】
【発明が解決しようとする課題】
【０００７】
最近の健康志向の高まりから、被測定者に対して生体情報の測定動作を動機付けして、測定動作を習慣づけたいとの要望があるが、特許文献１〜４は、被測定者に対して測定動作を習慣づけるような動機付けの構成を開示していない。
【０００８】
この発明の目的は、生体情報の測定動作を習慣づけるような動機付けを可能ならしめる生体情報を処理する装置、方法およびプログラムを提供することである。
【課題を解決するための手段】
【０００９】
この開示のある局面に従う生体情報を処理する装置は、被測定者から測定された生体情報を格納する格納部と、外部機器と通信する通信部と、生体情報を処理する処理部と、を備える。処理部は、格納部の情報のうち予め定められた期間において測定された生体情報から、外部機器を動かすための動力の情報を取得し、取得された動力の情報を外部機器に送信するように構成される。
【００１０】
この開示の他の局面に従う生体情報を処理する装置は、装置を動かすための駆動部と、外部機器と通信する通信部と、被測定者から測定された生体情報を処理する処理部と、をさらに備え、外部機器は、測定された生体情報を格納する格納部を有し、処理部は、外部機器から、格納部の情報のうち予め定められた期間において測定された生体情報を受信し、受信された生体情報から、駆動部のための動力の情報を取得するように構成される。
【００１１】
好ましくは、生体情報は、被測定者の身体の活動量を含む。
好ましくは、活動量は、被測定者から測定された歩数を含む。
【００１２】
好ましくは、活動量は被測定者の身体の消費カロリーを含む。
好ましくは、生体情報は、被測定者の身体の不活動量を含む。
【００１３】
この発明のさらに他の局面に従うと、メモリを備えるコンピュータが、生体情報を処理する方法で提供される。メモリには、被測定者から測定された生体情報が格納される。方法は、メモリの情報のうち予め定められた期間において測定された生体情報から、機器を動かすための動力の情報を取得することと、取得された動力の情報を機器に出力することとを含む。
【００１４】
この発明のさらに他の局面に従うと、上記の生体情報の処理方法をコンピュータに実行させるためのプログラムが提供される。
【発明の効果】
【００１５】
この開示によれば、予め定められた期間において測定された生体情報から取得される動力の情報により機器を動かすことが可能となる。このことが、当該期間における被測定者に対する測定動作の動機付けとなり、測定動作の習慣づけが可能となり得る。
【図面の簡単な説明】
【００１６】
【図１】実施の形態１に係る活動量計の外観を示す図である。
【図２】図１の活動量計の使用態様を示す図である。
【図３】実施の形態１に係るミニカー２００を模式的に示す図である。
【図４】図３のエリア１３に活動量計１００が載置された状態を示す図である。
【図５】実施の形態１に係るシステムを各部の内部構成と関連付けて示す図である。
【図６】実施の形態１に係る活動量計１００の機能の構成を示す図である。
【図７】実施の形態１に係るメモリ５０の記憶内容の例を示す図である。
【図８】実施の形態１に係るテーブルの構成を示す図である。
【図９】実施の形態１に係る処理フローチャートである。
【発明を実施するための形態】
【００１７】
以下、実施の形態について、図を参照して詳細に説明する。なお、以下に示す実施の形態においては同一または対応する部分に図中同一の符号を付し、その説明は繰返さない。
【００１８】
［概要]
各実施の形態では、予め定められた期間において測定された生体情報から、機器を動かすための動力の情報を取得し、取得された動力の情報により機器を動かす。
【００１９】
これにより、被測定者は、機器が動くことで、自分の生体情報により発生する動力エネルギーを実感することができて、この実感から生体情報の測定動作を習慣づけすることが容易となる。
【００２０】
実施の形態では、生体情報として、被測定者の身体の活動（動き）である活動量を計測する「活動量計」が示される。なお、測定され得る生体情報は、活動量に限定されず、肺活量、睡眠量、体組成情報（身体の体重、身長、筋肉量、骨量、脂肪量など身体の組成を示す情報）であってもよい。
【００２１】
また、活動量として、歩行時の「歩数」と消費熱量である「消費カロリー」を例示するが、計測対象はこれらに限定されず、昇降数、姿勢、咀嚼数、運動や生活活動（例えば、掃除機をかける、荷物運び、炊事など）全般の活動量とすることができる。また、計測対象は後述する不活動量とすることもできる。また、計測対象は、これらのうちの２以上を組み合わせたものとすることもできる。
【００２２】
また、実施の形態では、活動量計のユーザ（被測定者）は１人としているが、複数の被測定者により共用されてもよい。
【００２３】
また、実施の形態では、動力の情報を用いて動く機器として、おもちゃのミニカーを説明するが、後述するように、おもちゃに限定されず、また、おもちゃの種類もミニカーに限定されない。
【００２４】
［実施の形態１］
実施の形態１では、活動量計１００は、予め定められた期間において測定された活動量から、ミニカー２００を動かすための動力の情報を取得し、取得された動力の情報をミニカー２００に送信（出力）する。
【００２５】
（機器の外観）
図１を参照して、活動量計１００の筐体には、測定された活動量を含む情報を表示するディスプレイ２０、および操作部３０が設けられる。ディスプレイ２０に表示される活動量は、歩数および消費カロリーを含む。操作部３０は、活動量計１００に指示を入力するために操作されるボタン３１を含む。
【００２６】
被測定者は、図２に示されるように、活動量計１００を衣服に装着（例えば、ポケットなどに収納）した状態で活動する。
【００２７】
図３は、実施の形態に係るミニカー２００を模式的に示す図である。図３を参照して、ミニカー２００は、筺体に取り付けられた車輪２０ａ、車輪２０ａを回転させるための駆動部に相当するモータ部２０８、および活動量計１００が載置されるエリア１３を備える。
【００２８】
図４は、図３のエリア１３に活動量計１００が載置された状態が示される。図４に示されるように、活動量計１００は、エリア１３に載置されると、近距離無線によりミニカー２００と通信する。ここでは、近距離無線通信として非接触通信が用いられる。なお、通信方法は有線通信であってもよい。
【００２９】
（システムの構成）
図５は、実施の形態に係るシステムを各部の内部構成と関連付けて示す図である。実施の形態に係るシステムは、活動量計１００、ミニカー２００および装置３００を備える。活動量計１００、ミニカー２００および装置３００は相互に通信する。
【００３０】
活動量計１００はハードウェアとして、例えば、全体を制御するためのＣＰＵ（Central  Processing  Unit）１０、ディスプレイ２０、操作部３０、加速度センサとＭＰＵ（Micro-Processing  Unit）を含む加速度センサ部４０、ＣＰＵ１０で実行されるプログラム、データなどを記憶するためのメモリ５０、外部装置と通信するための通信Ｉ／Ｆ（Interfaceの略）６０、電池などの電源７０、音声を出力するための音声出力部８０、およびタイマ９０を含む。
【００３１】
活動量計１００は、通信Ｉ／Ｆ６０を介してミニカー２００および装置３００等の外部機器と通信する「通信部」の一実施例である。装置３００は、被測定者の体重および体組成を測定する機能を有する。装置３００は、体組成として身体の筋肉量、骨量、脂肪量などを測定する。
【００３２】
ミニカー２００は、例えば、ＣＰＵ２０１、メモリ２０２、モータ部２０８を制御するモータ制御部２０３、ユーザ操作を受付けるための入力部２０４、通信Ｉ／Ｆ２０５、出力デバイス２０６を制御するためのデバイスドライバ２０７、およびバッテリ２０９を備える。出力デバイス２０６は、スピーカまたはライトを含む。デバイスドライバ２０７は、出力デバイス２０６を制御し、音声の出力、またはライトを点灯（消灯）させる。通信Ｉ／Ｆ２０５は、活動量計１００等の外部機器と通信する「通信部」の一実施例である。
【００３３】
モータ部２０８は、例えばＤＣ(直流）モータを有する。ＤＣモータの回転軸は、車輪２０ａに接続される。これにより、車輪２０ａはＤＣモータの回転に連動して回転し、ミニカー２００が移動する。ＤＣモータの回転量（速度および方向）により、ミニカー２００の移動速度および移動方向が決まる。モータ制御部２０３は、ＣＰＵ２０１の制御により、ＤＣモータに供給される駆動電圧の大きさを変化させる。駆動電圧の変更方法としては、バッテリ２０９からの直流電圧を予め定められたレベルにまで変圧（降圧または昇圧）する方法、または、ＰＷＭ（Pulse  Width  Modulation）変調による変調信号のパルス幅（Duty）を変更する方法を用いる。実施の形態では、モータ制御部２０３は、例えば変圧によりＤＣモータに加わる電圧の大きさを変更する。なお、モータはＤＣモータに限定されない。
【００３４】
装置３００は、被測定者の身長、体重および体組成（体脂肪など）を測定する体重・体組成測定部３０１、これら測定された情報を外部に送信するための通信Ｉ／Ｆ３０２、およびタイマ３０３を含む。体重・体組成測定部３０１は、体重計の機能を有し、被測定者の体重を測定する。また、被測定者から測定した生体インピーダンスに基づき体組成値を算出する機能を有する。測定された体重と体組成情報とは、タイマ３０３が計時する測定時間を指す計時データがそれぞれ付加された体重データと体組成データとして、通信Ｉ／Ｆ３０２および６０を介し、活動量計１００に送信される。例えば、タイマ３０３とタイマ９０とは、同期した計時動作をするように調整され得る。したがって、活動量計１００では、歩数（活動量）と、装置３００による測定された体重データおよび体組成データとを、メモリ５０において、測定時間で相互に関連付けて格納しておくことができる。
【００３５】
（活動量計の機能構成）
図６は、実施の形態に係る活動量計１００の機能の構成を示す図である。図６を参照して、活動量計１００は、被測定者の歩数を計測（取得）する歩数取得部１１、予め定められた期間において測定される総歩数を用いて消費カロリーを算出するための消費カロリー算出部１２、動力情報取得部１７、および通信Ｉ／Ｆ６０を制御する通信制御部１８を含む。動力情報取得部１７は、上記の歩数または消費カロリーから、ミニカー２００を動かすための動力の情報を取得する。この取得方法の詳細は後述する。通信制御部１８は、通信Ｉ／Ｆ６０が有するモデムなどの通信回路を制御する。これら各部は、ＣＰＵ１０が実行するプログラム、またはプログラムと回路モジュールの組み合わせに相当する。
【００３６】
（歩数の計測と消費カロリーの算出）
歩数取得部１１は、加速度センサ部４０から歩数を受付けたとき、当該歩数をタイマ９０からの時間データと関連づけた歩数データＭｉ（後述する）を取得し、取得した歩数データＭｉを、メモリ５０に格納する。歩数に関連付けされた時間データは、当該歩数が測定された時間（日時など）を示す。加速度センサ部４０は歩数を計測する。具体的には、内蔵するセンサは、活動量計１００に加えられる加速度を検出し、検出された加速度を電圧信号として導出する。加速度センサ部４０のＭＰＵは、センサから逐次出力される信号に基づき、しきい値以上の加速度が検知された場合に、その回数を１歩としてカウントする。カウント値は、歩数取得部１１に出力される。なお、この歩数の算出（カウント）方法は例示であり、これに限定されない。
【００３７】
消費カロリー算出部１２は、次の式に従い、歩行による消費カロリーを算出する。
消費カロリー（kcal/日）＝活動強度(ＭＥＴｓ）×体重（ｋｇ）×１日の活動継続時間（Hour）×１．０５（厚生労働省健康づくりのための運動指針「エクササイズガイド２００６」より）に従い算出される。ここで、歩行の活動強度は３ＭＥＴｓであり、活動継続時間は歩数データＭｉから取得できる。また、体重データは、装置３００から受信されてメモリ５０に格納されたデータから取得できる。なお、この消費カロリーの算出方法は例示であり、これに限定されない。
【００３８】
（データの格納例）
図７には、メモリ５０の記憶内容が例示される。図７を参照してメモリ５０は、領域Ｅ１、Ｅ２およびＥ３を含む。領域Ｅ１には、歩数データＭｉ（ｉ＝１、２、３、…ｎ）が格納される。領域Ｅ２には、被測定者の年齢５４、体重データ５７、体組成データおよび性別データ５８が格納される。領域Ｅ３には、図８に示されるテーブルＴＢ１，ＴＢ２が格納される。なお、領域Ｅ２のデータには、操作部３０から受付けたデータが含まれてもよい。
【００３９】
（テーブルの構成）
図８は、実施の形態に係るテーブルの構成を示す図である。実施の形態では、歩数データＭｉを、ミニカー２００を動かすための動力の情報に変換するためにテーブルＴＢ１が参照される。また、消費カロリーのデータを、当該動力の情報に変換するためにテーブルＴＢ２が参照される。
【００４０】
テーブルＴＢ１は、複数の歩数の区分（例えば１〜１００歩、１０１〜２００歩、２０１〜３００歩・・・）と、各歩数区分に関連付けてミニカー２００の動きの種類または大きさを表す動作量、ミニカー２００（より特定的にはＤＣモータ）を動かすための動力エネルギーの大きさを示すデータＸｉ（ｉ＝１，２，３・・・）、ＤＣモータを駆動するために加える電圧（単位：Ｖ（ボルト））の大きさを示すデータＹｉ、およびＰＷＭ信号のパルス幅を表すデューティ比Ｚｉ（単位：％）が格納されている。データＸｉは、消費電力量（単位：Ｗ（ワット））により示される。
【００４１】
同様に、テーブルＴＢ２は、複数の消費カロリーの区分と、各消費カロリー区分に関連付けてテーブルＴＢ１と同様の種類のデータ（ミニカー２００の動作量、動力エネルギーのデータＸｉ、電圧のデータＹｉ、およびデューティ比Ｚｉ）が格納されている。なお、テーブルＴＢ２では、各消費カロリー区分に関連付けられた各種のデータ値は、テーブルＴＢ１のそれらと異なるものであってよい。
【００４２】
なお、テーブルＴＢ１，ＴＢ２の動作量は、歩数または消費カロリーの量に比例する走行距離、走行速度を示すが、動作量の種類はこれらに限定されない。例えば、動作時間、加速度、向き（動作の方向）が含まれてもよい。これにより、活動量が多い場合には、ミニカー２００は速く動き、移動距離も長くなるが、活動量が少ない場合には、ミニカー２００は遅く動き、移動距離も短くなる。
【００４３】
（処理フローチャート）
図９は、実施の形態に係る処理フローチャートである。この処理フローチャートに従う処理は、ＣＰＵ１０が、メモリ５０から所定プログラムを読出し、読出したプログラムの各命令を実行することにより実現される。図９のフローチャートに従って、メモリ５０に蓄積（格納）されていた活動量を用いてミニカー２００の動力の情報を取得する処理を説明する。なお、領域Ｅ１には、予め測定された十分な件数の歩数データＭｉが格納されているとする。
【００４４】
まず、被測定者が操作部３０のボタン３１を操作する。ＣＰＵ１０は当該操作を受付けると、図９の処理を開始する。処理が開始されると、歩数取得部１１は、メモリ５０の領域Ｅ１の歩数データＭｉのうち予め定められた期間において測定された歩数データＭｉ（活動量）を読出す（ステップＳ１）。
【００４５】
この予め定められた期間は、上記のボタン３１が操作された時から遡った予め定められた期間、例えば遡った１日（２４時間）を示す。歩数取得部１１は、ボタン３１が操作されたときのタイマ９０の計時時間から遡る１日（２４時間）分において測定された歩数データＭｉを領域Ｅ１から読出す。なお、予め定められた期間は１日分に限定されず、また当該期間の開始はボタン３１の操作時に限定されない。
【００４６】
ＣＰＵ１０は、歩数および消費カロリーのどちらを対象にして、動力の情報を取得するかを判断する（ステップＳ３）。例えば、操作部３０の操作による指示に基づき、歩数および消費カロリーの一方を対象として判断する。歩数と判断されたときは（ステップＳ３で“歩数”）、動力情報取得部１７は、ステップＳ１で読出された歩数データＭｉから動力の情報を取得する（ステップＳ１１）。
【００４７】
具体的には、動力情報取得部１７は、予め定められた期間に測定された歩数データＭｉから総歩数を算出する。そして、テーブルＴＢ１の歩数の区分のうち算出された総歩数に対応する区分に関連付けされた動力エネルギー量のデータＸｉを読出す。
【００４８】
一方、ステップＳ３において、消費カロリーと判断されたときは（ステップＳ３で“消費カロリー”）は、消費カロリー算出部１２は、ステップＳ１で読出された予め定められた期間の歩数データＭｉから総歩数を算出し、算出された総歩数から上記の算出式に従い消費カロリーを算出する（ステップＳ５）。動力情報取得部１７は、ステップＳ５で算出された消費カロリーから、テーブルＴＢ２を用いて動力の情報を取得する（ステップＳ１１）。具体的には、動力情報取得部１７は、テーブルＴＢ２の消費カロリーの区分のうち、上記の算出された消費カロリーに対応する区分に関連付けされた動力エネルギー量のデータＸｉを読出す。
【００４９】
通信制御部１８は、ステップＳ１１で取得された動力エネルギー量のデータＸｉを通信Ｉ／Ｆ６０を介してミニカー２００に送信する（ステップＳ１３）。
【００５０】
ミニカー２００においては、ＣＰＵ２０１は、通信Ｉ／Ｆ２０５を介して活動量計１００からデータＸｉを受信する（ステップＳ２１）。
【００５１】
ＣＰＵ２０１は、受信した動力エネルギーのデータＸｉから、予め定められた式に従い、ＤＣモータの回転量を決定し、モータ制御部２０３に出力する（ステップＳ２５）。この回転量はモータの制御量により示されて、制御量は、ＤＣモータに加える電圧の大きさと、当該電圧を加える時間の長さとを含む。電圧の大きさによりＤＣモータの回転速度（ミニカー２００の速度）が決定されて、時間の長さによりＤＣモータの回転継続時間（モニカ―２００の走行距離）が決定される。
【００５２】
モータ制御部２０３は、ＣＰＵ２０１からの制御量に従う駆動信号（電圧信号）を、決定された長さの時間にわたりモータ部２０８に出力する（ステップＳ２７）。これにより、ＤＣモータは加えられた電圧の大きさに従う速度で決定された時間継続して回転する。車輪２０ａはＤＣモータの回転に連動して回転し、ミニカー２００は走行する。
【００５３】
なお、ここでは、ＤＣモータの回転速度（ミニカー２００の速度）と回転継続時間(ミニカー２００の移動距離）の両方を可変としたが、一方のみを可変（他方は固定）としてもよい。例えば、回転速度（ＤＣモータに加えられる電圧）が一定の場合には、動力エネルギー量から回転継続時間が可変に決定される。また、回転継続時間が一定の場合には、動力エネルギー量から回転速度（ＤＣモータに加えられる電圧）が可変に決定される。
【００５４】
なお、図９のステップＳ１１では、テーブルＴＢ１，ＴＢ２から動力エネルギーの大きさを示すデータＸｉが読出されたが、読出されるデータの種類は可変であって良い。例えば、電圧の大きさを示すデータＹｉ、またはデューティ比Ｚｉが読出されてもよい。この場合であっても、ミニカー２００のＤＣモータの回転速度を可変に制御することができる。
【００５５】
また、図９の処理は、操作部３０の操作をトリガとして開始されているが、開始のトリガは操作部３０の操作に限定されない。例えば、図４の状態における活動量計１００とミニカー２００との通信の開始を処理開始のトリガとしてもよい。また、活動量計１００の通信Ｉ／Ｆ６０の図示しない端子が、ミニカー２００の通信Ｉ／Ｆ２０５の図示しない端子と接続されたとき、接続の検知（例えば、端子の電位変化）が処理の開始トリガとして用いられてもよい。
【００５６】
［実施の形態２］
実施の形態２は、実施の形態１の変形例を示す。実施の形態１では、活動量計１００により活動量から動力の情報を取得したが、実施の形態２ではミニカー２００により当該動力の情報が取得される。
【００５７】
実施の形態２では、活動量計１００により実施の形態１と同様に活動量（歩数、消費カロリー）が測定される。また、ミニカー２００のメモリ２０２に、テーブルＴＢ１とＴＢ２が格納される。操作部３０が操作されると、活動量計１００は上記の予め定められた期間（例えば１日）の総歩数または消費カロリーが示す活動量をミニカー２００に送信する。ミニカー２００のＣＰＵ２０１は、活動量計１００から受信した活動量に基づきテーブルＴＢ１またはＴＢ２を検索する。ＣＰＵ２０１は、検索の結果、テーブルから読出された（取得された）動力の情報により、モータの制御量を決定する。制御量により、モータ制御部２０３を介してモータ部２０８を制御する。
【００５８】
［実施の形態３］
実施の形態３では、装置３００により予め定められた期間において測定された体組成情報を、活動量計１００により動力の情報に変換する。活動量計１００は、変換後の動力の情報をミニカー２００に送信する。
【００５９】
具体的には、活動量計１００は、装置３００から受信する体組成情報から、予め定められた期間において測定された体組成情報の変化の大きさ（例えば、体重・身長などの増加量または減少量）を算出し、算出された変化の大きさから、予め定められた演算式（またはテーブル）などに従い動力の情報を取得する。装置３００は、活動量計１００から動力の情報を受信し、受信した動力の情報をミニカー２００に送信する。または、活動量計１００が、動力の情報をミニカー２００に送信するとしてもよい。
【００６０】
このように、実施の形態３のシステムでは、装置３００は生体情報を測定し、活動量計１００は生体情報から動力の情報を取得し、おびミニカー２００は動力の情報に従い動作し、それぞれの機能を実施する。
【００６１】
［実施の形態の変形例］
上記の各実施の形態の変形例を説明する。
【００６２】
（変形例１）
上記の各実施の形態では、予め定められた期間において測定された生体情報から、ミニカー２００の動きの量である動作量が取得される。例えば、予め定められた期間において測定された生体情報に基づき、テーブルＴＢ１，ＴＢ２から動作量である移動距離、速度などが読出される。活動量計１００またはミニカー２００は、取得された動作量から、実施の形態１または２で示された動力の情報を取得するとしてもよい。
【００６３】
また、読出された動作量は、ディスプレイ２０または出力デバイス２０６により表示される。被測定者は、表示を確認することで、生体情報から取得される動力によってミニカー２００が動く場合に、その移動距離と速さを、表示情報（数値、インジケータなど）から把握することができる。
【００６４】
（変形例２）
上記の各実施の形態では、生体情報から取得される動力の情報は、ミニカー２００の各種パラメータの値により変更されてもよい。例えば、パラメータの値には、ミニカー２００のバッテリ２０９の電池残量が含まれ得る。ミニカー２００は電池残量を測定し、測定値を活動量計１００に送信する。活動量計１００は、ミニカー２００の電池残量と予め定められた期間において測定された活動量とから、動力の情報を決定する。これにより、例えば、電池切れを起こさない範囲でミニカー２００を動かすためのデータＸｉを取得することが可能となる。
【００６５】
なお、上述のパラメータの種類は、電池残量に限定されない。例えば、ミニカー２００の機種、ミニカー２００の所有者情報などであってもよい。また、パラメータはミニカー２００に関する種類に限定されず、例えば、被測定者の情報、生体情報の測定期間の長さなどが含まれてもよい。
【００６６】
（変形例３）
この変形例では、ミニカー２００の動力の情報として、バッテリ２０９の充電量が取得され得る。
【００６７】
具体的には、活動量計１００は、予め定められた期間において測定された活動量から、充電量の情報を取得し、取得された充電量の情報をミニカー２００に送信する。ミニカー２００は、活動量計１００から受信した充電量の情報に基づき、バッテリ２０９を図示されない商用電源からの電力により充電する。
【００６８】
または、商用電源に接続された活動量計１００が、上記の充電量の情報に基づき、非接触充電により、ミニカー２００のバッテリ２０９を充電するとしてもよい。
【００６９】
（変形例４）
この変形例では、上記のミニカー２００に代えて水鉄砲を動かすことができる。つまり、活動量から水鉄砲を動かすための動力の情報を取得し、取得された動力の情報を用いて水鉄砲を動かす。具体的には、活動量計１００により計測された例えば３０秒間の歩数から水鉄砲に内蔵された駆動部（ポンプ等）のための動力の情報（ポンプの回転数等）が得られる。動力の情報により駆動部が制御されることにより、吐出される水量と水圧等が活動量から決定されることになる。
【００７０】
これにより、例えば３０秒間の活動量（歩数）が多い場合には、ポンプの回転数を多くして単位時間当たりの水の吐出量を多くし、または、長時間にわたりポンプを回転させて水が吐出される時間を長くする。これに対して、３０秒間の活動量（歩数）が少ない場合には、ポンプの回転数を少なくして、単位時間当たりの吐出量を少なくし、または、水が吐出される時間を短くする。
【００７１】
（変形例５）
この変形例では、生体情報として歩数に代えて呼吸数と呼気量を用いる。そして、呼吸数と呼気量から風船を膨張させる機械（風船機械という）を動かすための動力の情報を取得し、取得された動力の情報を用いて風船機械に内蔵された駆動部（ポンプ等）を動かす。したがって、動力の情報により、駆動部のポンプの回転数が可変に制御されて風船内に吹き込まれる空気量が可変に決定される。これにより、１日間の活動量（呼吸数、呼吸量）がゆったり大きな呼吸回数が閾値を超えて多く含まれる場合には、風船がゆっくり大きく膨らむように単位時間当たりの風船内に送り込まれる空気量を少なくしながら長時間にわたり空気を送り込むように動力の情報（ポンプの回転数、時間等）が決定される。これに対して、１日間の活動量（呼吸数、呼吸量）から呼吸が乱れている、すなわちゆったり大きな呼吸回数が閾値以下で少ない場合には、風船が小さく早く膨らむように、単位時間当たりの空気の送り込み量は多くして、送り込み時間を短くするような動力の情報（ポンプの回転数、時間等）が決定される。
【００７２】
（変形例６）
変形例６でも、生体情報として呼吸数と呼気量を用いるが、この生体情報からオルゴールを動かすための動力の情報を取得し、取得された動力に情報を用いてオルゴールを動かす。具体的には、例えば、呼吸計測装置により計測された１日間の呼吸数と呼吸量から、オルゴールの曲を再生するための振動板に関連したシリンダを回転させる駆動部（モータ）のための動力の情報が得られる。動力の情報により、オルゴールの駆動部（モータ）が制御されて、モータの回転に連動してシリンダが回転し、曲の再生速度（テンポ）が変化する。
【００７３】
例えば、１日間の活動量（呼吸数、呼吸量）からゆったり大きな呼吸回数が閾値を超えて多く含まれるような生体情報の場合には、オルゴールが長時間にわたりゆっくりしたテンポで再生されるように、モータの動力の情報（回転数、時間等）が決定される。これに対して、１日間の活動量（呼吸数、呼吸量）から呼吸が乱れている、すなわちゆったり大きな呼吸回数が閾値以下で少ない生体情報の場合には、オルゴールが短時間のうちに早いテンポで再生されるように、モータの動力の情報（回転数、時間等）が決定される。
【００７４】
（変形例７）
上記の各実施の形態および各変形例は、計測対象がユーザ（被測定者）の不活動量である場合にも同様に適用することができる。不活動量とは、身体不活動の時間、例えばデスクワークまたはテレビ視聴時間などの座位（sedentary）活動の時間を計測したものである。
【００７５】
上記の活動量の場合には、活動量が多いほど、動力が増加するように動力の情報を決定することができるのに対し、不活動量の場合には、不活動量が多いほど動力が減少するように動力の情報を決定することができる。したがって、不活動量が多い場合には、例えば、ミニカー２００は遅く動き、移動距離も短くなるが、不活動量が少ない場合には、ミニカー２００は速く動き、移動距離も長くなる。また、不活動量が少ない場合に、ミニカー２００は遅く動き、移動距離も短くするようにし、不活動量が多い場合には、ミニカー２００は速く動き、移動距離も長くなるようにしてもよい。
【００７６】
［実施の形態４］
上述したフローチャートを用いて説明した活動量から動力の情報を取得しミニカー２００に送信するための方法は、プログラムとして提供することもできる。この方法を実現するためプログラムは、予め活動量計１００のメモリ５０に格納されており、ＣＰＵ１０がメモリ５０から当該プログラムを読出し、命令コードを実行することにより処理が実現される。このプログラムは、通信Ｉ／Ｆ６０を介して、通信回線を経由し、外部の情報処理装置からメモリ５０にダウンロードされることにより供給されてもよい。
【００７７】
また、ミニカー２００も同様に、このようなプログラムを、メモリ２０２に格納し、ＣＰＵ２０１がメモリ２０２から当該プログラムを読出し、命令コードを実行することによりミニカー２００において活動量を動力の情報に変換し出力する処理が実施される。
【００７８】
また、活動量計１００またはミニカー２００にダウンロードされる情報は、プログラムに限定されず、テーブルＴＢ１，ＴＢ２も含まれ得る。
【００７９】
これらプログラムは、図示のないフレキシブルディスク、ＣＤ−ＲＯＭ（Compact  Disc  Read  Only  Memory）、およびメモリカードなどのコンピュータ読取り可能な記録媒体に記録されたプログラム製品として、活動量計１００またはミニカー２００に提供される。あるいは、活動量計１００，ミニカー２００が内蔵する図示のないハードディスクなどの記録媒体に予めプログラムを記録させておくことにより、プログラムを提供することもできる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１１  歩数取得部、１２  消費カロリー算出部、１３  エリア、１７  動力情報取得部、１８  通信制御部、２０  ディスプレイ、２０ａ  車輪、３０  操作部、３１  ボタン、４０  加速度センサ部、５０，２０２  メモリ、１００  活動量計、２００  ミニカー、２０３  モータ制御部、２０８  モータ部、２０９  バッテリ、３００  装置、３０１  体組成測定部、Ｅ１，Ｅ２，Ｅ３  領域、Ｍｉ  歩数データ、ＴＢ１，ＴＢ２  テーブル、Ｘｉ，Ｙｉ  データ、Ｚｉ  デューティ比。
【図１】
2018000321.tif 000003
【図２】
2018000321.tif 000004
【図３】
2018000321.tif 000005
【図４】
2018000321.tif 000006
【図５】
2018000321.tif 000007
【図６】
2018000321.tif 000008
【図７】
2018000321.tif 000009
【図８】
2018000321.tif 000010
【図９】
2018000321.tif 000011